(57)【要約】      （修正有）【課題】スタータ始動に用いられるキャパシタの劣化進行を抑えることで、キャパシタ寿命の延長を図ること。【解決手段】駆動系にスタータモータ１と横置きエンジン２とモータ/ジェネレータ４を有する。電源システムとして、モータ/ジェネレータ４の電源である強電バッテリ２１と、スタータモータ１の電源であるキャパシタ２３と、を備え、エンジン始動方式として、スタータ始動とM/G始動が可能である。このＦＦプラグインハイブリッド車両の制御装置において、劣化進行度判断及びスタータ始動制限制御を行うハイブリッドコントロールモジュール８１は、スタータ始動を許可するキャパシタ温度条件としてスタータ始動許可温度を設定し、キャパシタ２３の劣化進行度が進んでいると判断されるほど、スタータ始動許可温度を低い温度に変更する。【選択図】図１
2014234105.tif 000002
【特許請求の範囲】
【請求項１】
駆動系にスタータモータとエンジンとモータ/ジェネレータを有し、
電源システムとして、前記モータ/ジェネレータの電源である強電バッテリと、前記スタータモータの電源であるキャパシタと、を備え、エンジン始動方式として、スタータ始動とモータ/ジェネレータ始動が可能なハイブリッド車両の制御装置において、
前記キャパシタの劣化進行度を判断する劣化進行度判断手段と、
前記スタータ始動の要求に対して前記スタータ始動の実行を制限する条件を与えるスタータ始動制限制御手段と、を設け、
前記スタータ始動制限制御手段は、前記スタータ始動を許可するキャパシタ温度条件としてスタータ始動許可温度を設定し、前記キャパシタの劣化進行度が進んでいると判断されるほど、前記スタータ始動許可温度を低い温度に変更する
ことを特徴とするハイブリッド車両の制御装置。
【請求項２】
請求項１に記載されたハイブリッド車両の制御装置において、
前記劣化進行度判断手段は、前記キャパシタの劣化進行度を、前記スタータ始動を行った直後のキャパシタ電圧とスタータ電圧の電圧差と放電電流を用いて計算されるキャパシタ内部抵抗とキャパシタ回路抵抗の合計抵抗値により判断する
ことを特徴とするハイブリッド車両の制御装置。
【請求項３】
請求項１又は２に記載されたハイブリッド車両の制御装置において、
前記スタータ始動制限制御手段は、前記スタータ始動を許可するスタータ始動許可温度として予め第１上限温度を設定しておき、前記キャパシタの劣化進行度が劣化進行閾値以上になると、前記スタータ始動許可温度を、前記第１上限温度より低い第２上限温度まで下げる
ことを特徴とするハイブリッド車両の制御装置。
【請求項４】
請求項３に記載されたハイブリッド車両の制御装置において、
前記スタータ始動制限制御手段は、前記第１上限温度を、前記キャパシタの使用許可温度領域の上限温度に設定し、前記第２上限温度を、前記第１上限温度から、基準とするスタータ始動インターバルでの温度上昇量を減算した温度に設定した
ことを特徴とするハイブリッド車両の制御装置。
【請求項５】
請求項３又は４に記載されたハイブリッド車両の制御装置において、
前記スタータ始動制限制御手段は、前記キャパシタの劣化進行度が劣化進行閾値以上であり、かつ、前記キャパシタの温度が前記第２上限温度以上のとき、前記スタータ始動を禁止する
ことを特徴とするハイブリッド車両の制御装置。
【発明の詳細な説明】
【技術分野】
【０００１】
本発明は、スタータモータの電源としてキャパシタを備え、エンジン始動方式として、スタータ始動とM/G始動が可能なハイブリッド車両の制御装置に関する。
【背景技術】
【０００２】
従来、キャパシタの経年変化を補償するため、スタータモータの電源であるキャパシタの劣化（スタータ始動継続時間により判定）に基づいて、システム・パラメータを調整するハイブリッド車両の制御装置が知られている（例えば、特許文献１参照）。
【先行技術文献】
【特許文献】
【０００３】
【特許文献１】特開２００９−２７９１４号公報
【発明の概要】
【発明が解決しようとする課題】
【０００４】
しかしながら、従来装置にあっては、キャパシタの劣化が進行した場合、スタータ始動継続時間が所望の時間より長くなるため、これを補償するようにスタータ始動の電圧/電流を高め、スタータ始動継続時間を短くする制御が行われる。このように、キャパシタの劣化が進行すると、スタータ始動時にキャパシタ電圧を高くする使い方に移行するため、キャパシタ劣化の進行を早めることになり、キャパシタの耐久寿命が短くなってしまう、という問題があった。
【０００５】
本発明は、上記問題に着目してなされたもので、スタータ始動に用いられるキャパシタの劣化進行を抑えることで、キャパシタ寿命の延長を図ることができるハイブリッド車両の制御装置を提供することを目的とする。
【課題を解決するための手段】
【０００６】
上記目的を達成するため、本発明は、駆動系にスタータモータとエンジンとモータ/ジェネレータを有する。電源システムとして、前記モータ/ジェネレータの電源である強電バッテリと、前記スタータモータの電源であるキャパシタと、を備え、エンジン始動方式として、スタータ始動とモータ/ジェネレータ始動が可能である。
このハイブリッド車両の制御装置において、前記キャパシタの劣化進行度を判断する劣化進行度判断手段と、前記スタータ始動の要求に対して前記スタータ始動の実行を制限する条件を与えるスタータ始動制限制御手段と、を設ける。
前記スタータ始動制限制御手段は、前記スタータ始動を許可するキャパシタ温度条件としてスタータ始動許可温度を設定し、前記キャパシタの劣化進行度が進んでいると判断されるほど、前記スタータ始動許可温度を低い温度に変更する。
【発明の効果】
【０００７】
よって、スタータ始動制限制御手段において、スタータ始動を許可するキャパシタ温度条件としてスタータ始動許可温度を設定しておく。そして、キャパシタの劣化進行度が進んでいると判断されるほど、スタータ始動許可温度が低い温度に変更される。
すなわち、キャパシタは、充放電の繰り返しや大電流での充放電で発熱するが、キャパシタの発熱温度は、劣化の進行により内部抵抗が増大するほど高くなる。そして、キャパシタ温度が高くなると、内部抵抗の増大も早くなり、キャパシタの劣化が進行する。
これに対し、キャパシタ温度がスタータ始動許可温度より高いと、エンジン始動要求に対してスタータ始動の実行が制限されることで、これ以上のキャパシタの劣化進行が抑えられる。つまり、スタータ始動許可温度を、内部抵抗の増大が早くなることの予測情報として用いている。
この結果、スタータ始動に用いられるキャパシタの劣化進行を抑えることで、キャパシタ寿命の延長を図ることができる。
【図面の簡単な説明】
【０００８】
【図１】実施例１の制御装置が適用されたＦＦプラグインハイブリッド車両を示す全体システム図である。
【図２】実施例１の制御装置が適用されたＦＦプラグインハイブリッド車両のスタータ電源を中心とする電源システム構成を示す電源回路図である。
【図３】実施例１の制御装置が適用されたＦＦプラグインハイブリッド車両の制御システム構成を示すブロック図である。
【図４】実施例１のハイブリッドコントロールモジュールにて実行されるキャパシタの劣化進行に基づくキャパシタ再充電制御処理の流れを示すフローチャートである。
【図５】実施例１にてキャパシタの劣化進行度として用いた合計抵抗値の計算を示す計算説明図である。
【発明を実施するための形態】
【０００９】
以下、本発明のハイブリッド車両の制御装置を実現する最良の形態を、図面に示す実施例１に基づいて説明する。
【実施例１】
【００１０】
まず、構成を説明する。
実施例１の制御装置が適用されたＦＦプラグインハイブリッド車両（ハイブリッド車両の一例）の構成を、「駆動システム構成」、「電源システム構成」、「制御システム構成」、「スタータ始動制限制御の詳細構成」に分けて説明する。
【００１１】
［駆動システム構成］
図１はＦＦプラグインハイブリッド車両の全体を示す。以下、図１に基づいて、ＦＦプラグインハイブリッド車両の駆動システム構成を説明する。
【００１２】
前記駆動システムとして、図１に示すように、スタータモータ１（略称「M」）と、横置きエンジン２(略称「ICE」)と、第１クラッチ３(略称「CL1」)と、モータ/ジェネレータ４(略称「M/G」)と、第２クラッチ５（略称「CL2」）と、ベルト式無段変速機６（略称「CVT」）と、を備えている。ベルト式無段変速機６の出力軸は、終減速ギヤトレイン７と差動ギヤ８と左右のドライブシャフト９Ｒ，９Ｌを介し、左右の前輪１０Ｒ，１０Ｌに駆動連結される。なお、左右の後輪１１Ｒ，１１Ｌは、従動輪としている。
【００１３】
前記スタータモータ１は、横置きエンジン２のクランク軸に設けられたエンジン始動用ギヤに噛み合うギヤを持ち、後述するキャパシタ２３を電源とし、エンジン始動時にクランク軸を回転駆動するクランキングモータである。
【００１４】
前記横置きエンジン２は、クランク軸方向を車幅方向としてフロントルームに配置したエンジンであり、電動ウォータポンプ１２と、横置きエンジン２の逆転を検知するクランク軸回転センサ１３と、を有する。
【００１５】
前記第１クラッチ３は、横置きエンジン２とモータ/ジェネレータ４との間に介装された油圧作動による乾式多板摩擦クラッチであり、第１クラッチ油圧により完全締結/スリップ締結/開放が制御される。
【００１６】
前記モータ/ジェネレータ４は、第１クラッチ３を介して横置きエンジン２に連結された三相交流の永久磁石型同期モータである。このモータ/ジェネレータ４は、後述する強電バッテリ２１を電源とし、ステータコイルには、力行時に直流を三相交流に変換し、回生時に三相交流を直流に変換するインバータ２６が、ＡＣハーネス２７を介して接続される。
【００１７】
前記第２クラッチ５は、モータ/ジェネレータ４と駆動輪である左右の前輪１０Ｒ，１０Ｌとの間に介装された油圧作動による湿式の多板摩擦クラッチであり、第２クラッチ油圧により完全締結/スリップ締結/開放が制御される。実施例１の第２クラッチ５は、遊星ギヤによるベルト式無段変速機６の前後進切替機構に設けられた前進クラッチ５ａと後退ブレーキ５ｂを流用している。つまり、前進走行時には、前進クラッチ５ａが第２クラッチ５とされ、後退走行時には、後退ブレーキ５ｂが第２クラッチ５とされる。
【００１８】
前記ベルト式無段変速機６は、プライマリ油室とセカンダリ油室への変速油圧によりベルトの巻き付き径を変えることで無段階の変速比を得る変速機である。このベルト式無段変速機６には、メインオイルポンプ１４（メカ駆動）と、サブオイルポンプ１５（モータ駆動）と、ポンプ吐出圧を調圧することで生成したライン圧を元圧として第１，第２クラッチ油圧及び変速油圧を作り出す図外のコントロールバルブユニットと、を有する。
【００１９】
前記第１クラッチ３とモータ/ジェネレータ４と第２クラッチ５により１モータ・２クラッチの駆動システムが構成され、この駆動システムによる主な駆動態様として、「EVモード」と「HEVモード」を有する。「EVモード」は、第１クラッチ３を開放し、第２クラッチ５を締結してモータ/ジェネレータ４のみを駆動源に有する電気自動車モードであり、「EVモード」による走行を「EV走行」という。「HEVモード」は、両クラッチ３，５を締結して横置きエンジン２とモータ/ジェネレータ４を駆動源に有するハイブリッド車モードであり、「HEVモード」による走行を「HEV走行」という。
【００２０】
前記モータ/ジェネレータ４は、基本的にブレーキ操作時において回生動作を行うことに伴い、ブレーキ操作時にトータル制動トルクをコントロールする回生協調ブレーキユニット１６を有する。この回生協調ブレーキユニット１６は、ブレーキペダルと電動ブースタとマスタシリンダを備え、電動ブースタは、ブレーキ操作時、ペダル操作量にあらわれる要求制動力から回生制動力を差し引いた分を液圧制動力で分担するというように、回生分/液圧分の協調制御を行う。
【００２１】
［電源システム構成］
図１はＦＦプラグインハイブリッド車両の全体システムを示し、図２はスタータ電源を中心とする電源システム構成を示す。以下、図１及び図２に基づいて、ＦＦプラグインハイブリッド車両の電源システム構成を説明する。
【００２２】
前記電源システムとしては、図１に示すように、モータ/ジェネレータ電源としての強電バッテリ２１と、１２Ｖ系負荷電源としての１２Ｖバッテリ２２と、スタータ電源としてのキャパシタ２３と、を備えている。
【００２３】
前記強電バッテリ２１は、モータ/ジェネレータ４の電源として搭載された二次電池であり、例えば、多数のセルを積層したセルモジュールを、バッテリパックケース内に設定したリチウムイオンバッテリが用いられる。この強電バッテリ２１には、強電の供給/遮断/分配を行うリレー回路を集約させたジャンクションボックスが内蔵され、さらに、エアコン機能を持つバッテリ温度調整ユニット２４と、バッテリ充電容量（バッテリSOC）やバッテリ温度を監視するリチウムバッテリコントローラ８６と、が付設される。
【００２４】
前記強電バッテリ２１とモータ/ジェネレータ４は、ＤＣハーネス２５とインバータ２６とＡＣハーネス２７を介して接続される。インバータ２６には、強電の供給/遮断/分配を行うリレー回路を集約させたジャンクションボックス２８が内蔵され、さらに、暖房回路２９と電動エアコン３０と、力行/回生制御を行うモータコントローラ８３と、が付設される。つまり、インバータ２６は、強電バッテリ２１の放電によりモータ/ジェネレータ４を駆動する力行時、ＤＣハーネス２５からの直流をＡＣハーネス２７への三相交流に変換する。また、モータ/ジェネレータ４での発電により強電バッテリ２１を充電する回生時、ＡＣハーネス２７からの三相交流をＤＣハーネス２５への直流に変換する。
【００２５】
前記強電バッテリ２１には、ＤＣハーネス３１を介して急速充電ポート３２が接続されるとともに、ＤＣ分岐ハーネス２５’と充電器３３とＡＣハーネス３４とを介して普通充電ポート３５が接続される。充電器３３は、AC/DC変換や電圧変換を行う。急速充電時には、例えば、外出先等に設置されている充電スタンドのコネクタプラグを、急速充電ポート３２に接続することで外部充電される（プラグイン急速充電）。普通充電時には、例えば、家庭用電源からのコネクタプラグを、普通充電ポート３５に接続することで外部充電される（プラグイン普通充電）。
【００２６】
前記１２Ｖバッテリ２２は、スタータモータ１を除いた他の補機類である１２Ｖ系負荷３６の電源として搭載された二次電池であり、例えば、エンジン車等で一般的に搭載されている鉛バッテリが用いられる。強電バッテリ２１と１２Ｖバッテリ２２は、ＤＣ分岐ハーネス２５”とDC/DCコンバータ３７とバッテリハーネス３８を介して接続される。DC/DCコンバータ３７は、強電バッテリ２１からの数百ボルト電圧を１２Ｖに変換するものであり、このDC/DCコンバータ３７を、ハイブリッドコントロールモジュール８１により制御することで、１２Ｖバッテリ２２の充電量を管理する構成としている。
【００２７】
前記キャパシタ２３は、スタータモータ１の専用電源として搭載された蓄電デバイスであり、大きな静電容量を有し、急速充放電性能に優れた特徴を持つ電気二重層キャパシタ（eDLC：electric Double Layer Capacitor）と呼ばれるものが用いられる。補機負荷電源系３９とキャパシタ２３は、図２に示すように、ヒューズ４０を設けたバッテリ分岐ハーネス３８’とキャパシタ充電回路４１を介して接続される。また、キャパシタ２３とスタータモータ１は、キャパシタハーネス４２と抵抗４３とリレースイッチ４４を介して接続される。なお、キャパシタ２３とキャパシタ充電回路４１等によりDLCユニット４５を構成し、スタータモータ１とリレースイッチ４４等によりスタータユニット４６を構成する。以下、DLCユニット４５とスタータユニット４６の詳しい構成を説明する。
【００２８】
前記DLCユニット４５は、図２に示すように、キャパシタ２３と、キャパシタ充電回路４１と、自然放電用スイッチ４７と、強制放電用スイッチ４８と、セル電圧モニタ４９と、キャパシタ温度センサ５０と、を備えている。
【００２９】
前記キャパシタ２３は、複数個のDLCセルを直列/並列に接続して構成したもので、自然放電用スイッチ４７と強制放電用スイッチ４８とキャパシタ温度センサ５０は、複数個のDLCセルの両端部に並列にて設けられる。また、セル電圧モニタ４９は、複数個のDLCセルのそれぞれのセル電圧（＝キャパシタ容量）を検出するように、各DLCセルに並列に設けられる。
【００３０】
前記キャパシタ充電回路４１は、スイッチング方式による半導体リレー内蔵のDC/DCコンバータ回路（スイッチング素子とチョークコイルとコンデンサとダイオードの組み合わせ回路）により構成される。このキャパシタ充電回路４１は、ハイブリッドコントロールモジュール８１により制御される半導体リレー５１とDC/DCコンバータ５２を有する。半導体リレー５１は、半導体スイッチング素子を使用した無接点リレーであり、例えば、図２の左下部に概略を示すように、絶縁された入出力の空間を光の信号で伝達するフォトカプラと呼ばれる光半導体を用いた構成としている。この半導体リレー５１は、補機負荷電源系３８からキャパシタ２３を切り離したり接続したりするスイッチ機能を持つ。DC/DCコンバータ５２は、入力された直流をスイッチング素子によってパルス電流に細分し、それらを繋ぎ合わせて必要な電圧の直流出力を得ることで、１２Ｖ直流を１３．５Ｖ直流に変換する機能とキャパシタ充電電流を切り替える機能を持つ。
【００３１】
前記スタータユニット４６は、スタータモータ１と、リレースイッチ４３と、電磁アクチュエータ５３と、ピニオンシフト機構５４と、を備えている。
【００３２】
前記電磁アクチュエータ５３は、２つのコイル５５，５６への通電による電磁力にて、リレースイッチ４４をオンにするとともに、ピニオンシフト機構５４のピニオン５７をリングギヤ５８と噛み合う位置までシフトさせる。通電遮断時は、リレースイッチ４４をオフにするとともに、ピニオン５７をリングギヤ５８との噛み合いが解除された位置までシフトする。なお、リングギヤ５８は、横置きエンジン２のクランク軸に設けられる。補機負荷電源系３９と２つのコイル５５，５６は、スータータカットオフリレー５９とHEV/IS/リレー６０とスタータリレー６１を設けたバッテリ分岐ハーネス３８”を介して接続される。スータータカットオフリレー５９の通電/遮断は、ボディコントロールモジュール８７により行われる。HEV/IS/リレー６０の通電/遮断は、ハイブリッドコントロールモジュール８１により行われる。スタータリレー６１の通電/遮断は、アンダーフードスイッチングモジュール８８により行われる。なお、バッテリ分岐ハーネス３８”の交わる位置には、リレー診断用の電圧センサ６２が設けられている。
【００３３】
前記ピニオンシフト機構５４は、スタータモータ１のモータ軸に対して軸方向移動可能に設けられたピニオン５７と、一端側を電磁アクチュエータ５３に接続し、他端側をピニオン５７のシフト溝に嵌合させたシフトレバー６３と、を有する。
【００３４】
［制御システム構成］
図１はＦＦプラグインハイブリッド車両の全体システムを示し、図２はスタータ電源を中心とする電源システム構成を示し、図３は制御システム構成を示す。以下、図１〜図３に基づいて、ＦＦプラグインハイブリッド車両の制御システム構成を説明する。
【００３５】
前記制御システムとしては、図１〜図３に示すように、車両全体の消費エネルギーを適切に管理する機能を担う統合制御手段として、ハイブリッドコントロールモジュール８１（略称：「HCM」）を備えている。このハイブリッドコントロールモジュール８１に接続される制御手段として、エンジンコントロールモジュール８２（略称：「ECM」）と、モータコントローラ８３（略称：「MC」）と、CVTコントロールユニット８４（略称：「CVTCU」）と、を有する。そして、データ通信モジュール８５（略称：「DCM」）と、リチウムバッテリコントローラ８６（略称：「LBC」）と、を有する。さらに、ボディコントロールモジュール８７（略称：「BCM」）と、アンダーフードスイッチングモジュール８８（略称：「USM」）と、を有する。これらの制御手段は、ハイブリッドコントロールモジュール８１とDLCユニット４５を接続するLIN通信線８９（LIN：「Local Interconnect Network」の略称）を除き、CAN通信線９０（CANは「Controller Area Network」の略称）により双方向情報交換可能に接続される。
【００３６】
前記ハイブリッドコントロールモジュール８１は、各制御手段、イグニッションスイッチ９１、アクセル開度センサ９２、車速センサ９３等からの入力情報に基づき、様々な制御を行う。このうち、外部充電が可能なＦＦプラグインハイブリッド車両を高い燃費効率で走らせることを目的として行われる制御が、強電バッテリ２１のバッテリSOCに基づく走行モード（「CDモード」、「CSモード」）の選択制御である。
【００３７】
前記「CDモード（Charge Depleting mode）」は、原則として、強電バッテリ２１の電力を消費するEV走行を優先するモードであり、例えば、強電バッテリ２１のバッテリSOCがフルSOCから設定SOCまで低下する間にて選択される。但し、EV走行では駆動力が不足する高負荷走行等において、例外的にHEV走行が行われる。この「CDモード」の選択中における横置きエンジン２の始動は、スタータモータ１による始動（スタータ始動）を基本とし、モータ/ジェネレータ４による始動（M/G始動）を例外とする。
【００３８】
前記「CSモード（Charge Sustain mode）」は、原則として、強電バッテリ２１の電力を維持するHEV走行を優先するモードであり、強電バッテリ２１のバッテリSOCが設定SOC以下になると選択される。つまり、強電バッテリ２１のバッテリSOCを所定範囲に維持する必要があるとき、横置きエンジン２の駆動によりモータ/ジェネレータ４を発電させるエンジン発電によるHEV走行を行う。この「CSモード」の選択中における横置きエンジン２の始動は、モータ/ジェネレータ４による始動（M/G始動）を基本とし、スタータモータ１による始動（スタータ始動）を例外とする。なお、モード切り替え閾値である「設定SOC」は、CDモード→CSモードのときの値と、CSモード→CDモードのときの値とでヒステリシスを持たせている。
【００３９】
前記ハイブリッドコントロールモジュール８１では、「CDモード」と「CSモード」の選択制御以外に、スタータモータ１によるエンジン始動制御、キャパシタ２３への充電制御、キャパシタ２３からの放電制御を行う。さらに、下記のようなスタータ関連制御を行う。
(A)エンジン始動後からスタータ始動許可までの時間短縮制御。
(B)イグニッションオンからスタータ始動許可までの時間短縮制御。
(C)キャパシタ２３の劣化進行抑制制御。
(D)キャパシタ２３の高温/低温時対策制御（実施例１）。
(E)車両用補機の電圧瞬低防止制御。
【００４０】
前記エンジンコントロールモジュール８２は、横置きエンジン２の燃料噴射制御や点火制御や燃料カット制御等を行う。モータコントローラ８３は、インバータ２６によるモータジェネレータ４の力行制御や回生制御等を行う。CVTコントロールユニット８４は、第１クラッチ３の締結油圧制御、第２クラッチ５の締結油圧制御、ベルト式無段変速機６の変速油圧制御等を行う。データ通信モジュール８５は、携帯リモコンキーのスイッチを遠隔操作したとき、携帯リモコンキーとの間で通信が成立すると、例えば、充電ポートリッドやコネクタロック機構のロック/アンロックの制御を行う。リチウムバッテリコントローラ８６は、強電バッテリ２１のバッテリSOCやバッテリ温度等を管理する。ボディコントロールモジュール８７は、スータータカットオフリレー５９の通電/遮断制御を行う。アンダーフードスイッチングモジュール８７は、インヒビタースイッチ９４からのレンジ位置信号に基づき、内蔵するスタータリレー６１の通電/遮断制御を行う。
【００４１】
［スタータ始動制限制御の詳細構成］
図４はハイブリッドコントロールモジュール８１にて実行されるキャパシタの劣化進行に基づくスタータ始動制限制御処理流れを示す（劣化進行度判断手段、スタータ始動制限制御手段）。以下、イグニッションオンにて開始するスタータ始動制限制御処理構成をあらわす図４の各ステップについて説明する。
【００４２】
ステップＳ１では、スタータモータ１を用いて横置きエンジン２を始動するスタータ始動を実行したか否かを判断する。Yes（スタータ始動有り）の場合はステップＳ２へ進み、No（スタータ始動無し）の場合はステップＳ１の判断を繰り返す。
【００４３】
ステップＳ２では、ステップＳ１でのスタータ始動有りとの判断に続き、スタータ始動時、リレースイッチ４４がオンになった直後のキャパシタ内部抵抗Rcと回路抵抗Rh（ハーネス、スタータモータ１等を含む）の合計抵抗値（Rc＋Rh）を計算し、ステップＳ３へ進む。
ここで、合計抵抗値（Rc＋Rh）の計算を、図５に基づき説明する。スタータ始動時、スタータモータ１へ電流（放電電流Ic）を流す場合、リレースイッチ４４がオンになった直後は、
Vm＝Vc−Ic・（Rc＋Rh）      …(1)
の式が成り立つ。
上記(1)式を、書き換えると、
（Rc＋Rh）＝（Vc−Vm）/Ic      …(2)
となり、キャパシタ電圧Vc、スタータ電圧Vm、放電電流Icを計測することで、(2)式により合計抵抗値（Rc＋Rh）が計算される。なお、図５において、Ｑはキャパシタ電荷量、Ｃはキャパシタ静電容量である。そして、合計抵抗値（Rc＋Rh）が増大すると、電圧差（Vc−Vm）が大きくなるため、スタータ始動時間が悪化する。
なお、ステップＳ１及びステップＳ２は、劣化進行度判断手段に相当する。
【００４４】
ステップＳ３では、ステップＳ２での合計抵抗値（Rc＋Rh）の計算に続き、合計抵抗値（Rc＋Rh）が、劣化進行閾値以上であるか否かを判断する。Yes（合計抵抗値≧劣化進行閾値）の場合はステップＳ４へ進み、No（合計抵抗値＜劣化進行閾値）の場合は終了へ進む。
ここで、「劣化進行閾値」としては、例えば、スタータ始動に要する時間が、予め決められたスタータ始動目標時間以下が成立する限界の合計抵抗値に設定している。つまり、キャパシタ２３を温度保護するにあたって、スタータ始動に要する時間として、劣化進行後も目標時間をできる限り保つように設定している。
【００４５】
ステップＳ４では、ステップＳ３での合計抵抗値≧劣化進行閾値であるとの判断に続き、キャパシタ温度センサ５０により検出されるキャパシタセル温度が、制限Ａ（第１上限温度）以上であるか否かを判断する。Yes（キャパシタセル温度≧制限Ａ）の場合はステップＳ６へ進み、No（キャパシタセル温度＜制限Ａ）の場合はステップＳ５へ進む。
ここで、「制限Ａ」は、キャパシタ２３の使用許可温度領域の上限温度に設定している。例えば、キャパシタ２３の使用許可温度領域が、-5℃〜65℃であるとき、その上限温度である65℃に設定される。
【００４６】
ステップＳ５では、ステップＳ４でのキャパシタセル温度＜制限Ａであるとの判断に続き、キャパシタ温度センサ５０により検出されるキャパシタセル温度が、制限Ｂ（第２上限温度）以上であるか否かを判断する。Yes（キャパシタセル温度≧制限Ｂ）の場合はステップＳ６へ進み、No（キャパシタセル温度＜制限Ｂ）の場合はステップＳ７へ進む。
ここで、「制限Ｂ」は、制限Ａから、基準とするスタータ始動インターバルでの温度上昇量を減算した温度に設定している。例えば、郊外路や山岳路で最短のスタータ始動インターバルが25secであるとき、この25secを基準とするスタータ始動インターバルとし、25secでの温度上昇量15℃とすると、制限Ｂは、65℃（制限Ａ）から15℃を減算した50℃に設定される。
【００４７】
ステップＳ６では、ステップＳ４でのキャパシタセル温度≧制限Ａであるとの判断、或いは、ステップＳ５でのキャパシタセル温度≧制限Ｂであるとの判断に続き、スタータモータ１を用いて横置きエンジン２を始動するスタータ始動を禁止し、終了へ進む。
ここで、スタータ始動の禁止は、例えば、イグニッションオンの間、スタータ始動禁止フラグを立てることで行われるもので、スタータ始動禁止フラグが立っていると、エンジン始動要求に対し、スタータ始動に代え、M/G始動が行われる。
【００４８】
ステップＳ７では、ステップＳ５でのキャパシタセル温度＜制限Ｂであるとの判断に続き、キャパシタセル温度のスタータ始動許可温度を、予め設定されていた制限Ａから制限Ｂに下げる書き換えを行い、終了へ進む。
ここで、「制限Ａ」は、ステップＳ４での制限Ａと同じ値であり、「制限Ｂ」は、ステップＳ５での制限Ｂと同じ値である。
【００４９】
次に、作用を説明する。
実施例１のＦＦプラグインハイブリッド車両の制御装置における作用を、［キャパシタ電源回路構成による特徴作用］、［キャパシタ電源による充放電作用］、［劣化進行度判断作用］、［スタータ始動制限制御作用］に分けて説明する。
【００５０】
［キャパシタ電源回路構成による特徴作用］
例えば、アイドルストップ車において、スタータモータの電源を１２Ｖバッテリとする場合、電源回路構成は、実施例１のキャパシタ電源回路構成からDLCユニット４５とヒューズ４０を除いた構成とされ、これを比較例とする。
【００５１】
この比較例の場合、スタータモータと車両補機類の電源を、１つの１２Ｖバッテリにより共有するものとなる。このため、車両補機類での電力必要量が高い時、スタータモータによるエンジン始動を行うと、供給電力が不足し、エンジン始動開始の瞬間、車両補機類の電圧が急に低下する電圧瞬低が発生する。
【００５２】
これに対し、実施例１では、強電バッテリ２１と１２Ｖバッテリ２２を、DC/DCコンバータ３７を介して接続することで補機負荷電源系３９が構成される。DC/DCコンバータ３７から分岐して接続されるキャパシタ充電回路４１と、キャパシタ充電回路４１に接続されるキャパシタ２３と、を有してDLCユニット４５が構成される。そして、補機負荷電源系３９とDLCユニット４５との間に、キャパシタ充電回路４１に内蔵してスイッチとしての半導体リレー５１を設けることで、キャパシタ電源回路が構成される。
【００５３】
この構成により、強電バッテリ２１からの電力にて１２Ｖバッテリ２２とキャパシタ２３を充電しつつ、１２Ｖバッテリ２２から車両補機類である１２Ｖ系負荷３６に必要電力を供給し、キャパシタ２３からスタータモータ１に必要電力を供給する。すなわち、スタータモータ１と１２Ｖ系負荷３６の電源を共有しないし、１２Ｖバッテリ２２とキャパシタ２３による２つの電源は、強電バッテリ２１による充電バックアップを受ける。
【００５４】
そして、比較例であるアイドルストップ車の電源回路構成を変更することなく、DLCユニット４５（キャパシタ充電回路４１＋キャパシタ２３）を追加することでキャパシタ電源回路が構成される。このように、補機類の追加と同じ要領でDLCユニット４５を追加できるため、強電バッテリ２１とDC/DCコンバータ３７の制御は、比較例の制御から変更する必要がない。
【００５５】
さらに、補機負荷電源系３９の充放電バランスが崩れそうな場合、DLCユニット４５（キャパシタ充電回路４１＋キャパシタ２３）は、充電電流を制御可能で、かつ、スイッチである半導体リレー５１により補機負荷電源系３９と切り離し可能である。このため、スタータ始動時に半導体リレー５１を開いておくことで、車両補機類の電圧が急に低下する電圧瞬低を防止できる。加えて、DC/DCコンバータ３７のコンバータ容量や１２Ｖバッテリ２２のバッテリ容量を、比較例で設定したコンバータ容量やバッテリ容量から変更する必要がない。
【００５６】
［キャパシタ電源による充放電作用］
上記キャパシタ電源回路に対しハイブリッドコントロールモジュール８１により行われる「スタータモータ１によるエンジン始動制御作用」、「キャパシタ２３への充電制御作用」、「キャパシタ２３からの放電制御作用」を説明する。
【００５７】
スタータモータ１によるエンジン始動は、ハイブリッドコントロールモジュール８１からのスタータ始動指令の出力に基づき、HEV/IS/リレー６０に通電すると、リレースイッチ４４がオンになり、ピニオン５７がリングギヤ５８と噛み合う位置までシフトする。これにより、キャパシタ２３を電源とするスタータモータ１が横置きエンジン２のクランク軸を回転させることでスタータ始動が行われ、通電から所定時間後にHEV/IS/リレー６０を遮断する。なお、スータータカットオフリレー５９は、エンジン始動を禁止する車両条件が成立する場合を除いて、ボディコントロールモジュール８７により通電が維持されている。また、アンダーフードスイッチングモジュール８８に内蔵されているスタータリレー６１は、Ｐレンジの選択時に限り通電され、Ｐレンジ以外のＤレンジ等の選択時においては遮断状態である。
したがって、スタータモータ１によるエンジン始動制御は、原則として、スタータ始動許可条件下でのスタータ始動指令によりHEV/IS/リレー６０が通電されている間、キャパシタ２３の電力を用いてスタータモータ１が駆動し、横置きエンジン２を始動させる。
【００５８】
キャパシタ２３への充電は、ハイブリッドコントロールモジュール８１からの充電指令の出力に基づき、キャパシタ充電回路４１の半導体リレー５１を閉とし、キャパシタ充電電流を選択する。これにより、強電バッテリ２１からの電力を、DC/DCコンバータ３７→ヒューズ４０→半導体リレー５１→DC/DCコンバータ５２を介してキャパシタ２３へ導入することで、キャパシタ充電電流に応じた短時間充電が行われる。なお、キャパシタ充電電流としては、電流１(例えば、15A)を基本電流とし、例外として、電流１からの変更により選択可能な電流２（例えば、20A）を有する。
したがって、キャパシタ２３への充電制御は、充電指令が出力されている間、強電バッテリ２１からの電力を用い、選択されているキャパシタ充電電流によりキャパシタ２３を充電する。
【００５９】
キャパシタ２３からの放電は、ハイブリッドコントロールモジュール８１からの自然放電指令の出力に基づき、DLCユニット４５の自然放電用スイッチ４７を閉とすることで、キャパシタ２３からの自然放電を行う。また、ハイブリッドコントロールモジュール８１からの強制放電指令の出力に基づき、DLCユニット４５の強制放電用スイッチ４８を閉とすることで、キャパシタ２３からの強制放電を行う。この強制放電の場合、単位時間当たりの放電量が自然放電の場合よりも大きく設定されている。
したがって、キャパシタ２３への自然放電制御は、自然放電指令に基づいて自然放電用スイッチ４７を閉としている間、キャパシタ２３の電力を抵抗熱に変換して放電を行う。キャパシタ２３への強制放電制御は、強制放電指令に基づいて強制放電用スイッチ４８を閉としている間、キャパシタ２３の電力を抵抗熱に変換し、自然放電よりも短時間にて放電を行う。
【００６０】
［劣化進行度判断作用］
スタータモータ１の電源として用いられるキャパシタ２３の劣化進行度情報を用いた制御を行う場合、精度良い劣化進行度の判断が重要である。以下、図４に基づき、これを反映して行われる劣化進行度判断作用を説明する。
【００６１】
まず、スタータ始動を経験すると、図４のフローチャートにおいて、ステップＳ１→ステップＳ２へと進み、ステップＳ２では、スタータ始動時、リレースイッチ４４がオンになった直後のキャパシタ内部抵抗Rcと回路抵抗Rh（ハーネス、スタータモータ１等を含む）の合計抵抗値（Rc＋Rh）が計算される。すなわち、キャパシタ内部抵抗Rcと回路抵抗Rhの合計抵抗値（Rc＋Rh）を、劣化進行度の判断情報としている。以下、合計抵抗値（Rc＋Rh）を劣化進行度判断情報とする理由を説明する。
【００６２】
第一に、他の情報に比べ、精度良く劣化進行度を判断できる。
キャパシタの劣化進行度の判断は、キャパシタの充電制御時における電圧と電流と所要時間に基づいて推定されるパラメータの変化、例えば、充電制御時の充電電流とキャパシタの電圧上昇速度によって推定することができる。また、キャパシタの放電制御時における電圧と電流と所要時間に基づいて推定されるパラメータの変化、例えば、スタータ始動時におけるスタータ始動に要する時間計測によって推定することができる。
しかし、これらの劣化進行度判断情報は、劣化進行によりあらわれる間接情報であり、データを取得する環境が変化すると、同じ劣化進行度であっても変化することで、実験的に精度良く劣化進行度を判断できても、車載状態では劣化進行度の判断精度が低くなる。
これに対し、キャパシタの劣化は、キャパシタ内部抵抗が徐々に増大することにより進行する。つまり、キャパシタ内部抵抗を劣化進行度判断情報とすると、劣化進行に対する直接情報となり、例えば、新品時の内部抵抗からの抵抗値の上昇変化幅により判断すると、車載状態でも劣化進行度の判断精度が高くなる。
【００６３】
第二に、車載状態で簡単に劣化進行度判断情報の計算データを取得できる。
キャパシタ単体の劣化進行度を判断するには、キャパシタ内部抵抗のみを取得する必要がある。しかし、キャパシタが劣化すると、キャパシタ内部抵抗が増大するだけでなく、劣化に伴い回路抵抗も増大する。そして、車載状態では、キャパシタ内部抵抗だけを分けて計算できない。このため、劣化進行度判断情報を、キャパシタ内部抵抗Rcとキャパシタ回路抵抗Rhの合計抵抗値（Rc＋Rh）とした。このため、スタータ始動を行った直後に取得されるキャパシタ電圧Vcとスタータ電圧Vmの電圧差（Vc−Vm）と放電電流Icのデータを用い、上記(2)式を用いて合計抵抗値（Rc＋Rh）を計算できる。
【００６４】
このように、キャパシタ２３の劣化進行度を、スタータ始動を行った直後のキャパシタ電圧Vcとスタータ電圧Vmの電圧差（Vc−Vm）と放電電流Icを用いて計算される合計抵抗値（Rc＋Rh）により判断する構成を採用した。
したがって、スタータ始動を経験すると、車載状態で簡単に劣化進行度判断情報の計算データを取得できると共に、キャパシタ２３の劣化進行度を、合計抵抗値（Rc＋Rh）により精度良く判断することができる。
【００６５】
［スタータ始動制限制御作用］
横置きエンジン２の始動方式として、スタータ始動とM/G始動が可能なシステムでは、スタータ始動を禁止してもM/G始動により横置きエンジン２を始動することができる。一方で、スタータモータ１の電源であるキャパシタ２３は、劣化が進行するとスタータ始動時間が悪化するため、キャパシタ２３の劣化進行を抑制したいという要求がある。以下、図４に基づき、これを反映して行われるスタータ始動制限制御作用を説明する。
【００６６】
まず、合計抵抗値（Rc＋Rh）が劣化進行閾値未満のときは、図４のフローチャートにおいて、ステップＳ１→ステップＳ２→ステップＳ３→終了へと進む。すなわち、キャパシタ２３の劣化進行条件が成立していない間は、スタータ始動許可温度として、予め設定されている「制限Ａ（例えば、65℃）」によりスタータ始動が制限される。
したがって、キャパシタセル温度が「制限Ａ」未満であれば、スタータ始動が自由に許可される。しかし、キャパシタセル温度が「制限Ａ」以上になると、スタータ始動が許可されず、エンジン始動要求に対し、M/G始動にて対応する。
【００６７】
そして、合計抵抗値（Rc＋Rh）が劣化進行閾値以上になり、かつ、キャパシタセル温度が「制限Ｂ」未満であるときは、図４のフローチャートにおいて、ステップＳ１→ステップＳ２→ステップＳ３→ステップＳ４→ステップＳ５→ステップＳ７→終了へと進む。すなわち、キャパシタ２３の劣化進行によって合計抵抗値（Rc＋Rh）が劣化進行閾値以上になった場合、キャパシタセル温度が「制限Ｂ」未満であるとステップＳ７へと進み、ステップＳ７において、スタータ始動許可温度が「制限Ａ」から「制限Ｂ」へと下げられる。
したがって、キャパシタセル温度が「制限Ｂ」未満であれば、スタータ始動が自由に許可される。しかし、キャパシタセル温度が「制限Ｂ」以上になると、スタータ始動が許可されず、エンジン始動要求に対し、M/G始動にて対応する。
【００６８】
さらに、合計抵抗値（Rc＋Rh）が劣化進行閾値以上であり、かつ、キャパシタセル温度が「制限Ｂ」以上になったときは、図４のフローチャートにおいて、ステップＳ１→ステップＳ２→ステップＳ３→ステップＳ４→ステップＳ５→ステップＳ６→終了へと進む。また、合計抵抗値（Rc＋Rh）が劣化進行閾値以上であり、かつ、キャパシタセル温度が「制限Ａ」以上になったときは、図４のフローチャートにおいて、ステップＳ１→ステップＳ２→ステップＳ３→ステップＳ４→ステップＳ６→終了へと進む。すなわち、ステップＳ６にてスタータ始動が禁止される。キャパシタセル温度が上昇し、スタータ始動が禁止されると、その後、イグニッションスイッチ９１がオフにされるまでの間は、スタータ始動の禁止状態が継続され、エンジン始動要求に対し、M/G始動にて対応する。
【００６９】
上記のように、実施例１では、スタータ始動を許可するキャパシタ温度条件としてスタータ始動許可温度を設定し、キャパシタ２３の劣化進行度が進んでいると判断されるほど、スタータ始動許可温度を低い温度に変更する構成を採用している。
すなわち、キャパシタ２３は、充放電の繰り返しや大電流での充放電で発熱するが、キャパシタ２３の発熱温度は、劣化の進行により内部抵抗が増大するほど高くなる。そして、キャパシタ温度が高くなると、内部抵抗の増大も早くなり、キャパシタ２３の劣化が進行する。
これに対し、キャパシタ温度がスタータ始動許可温度より高いと、エンジン始動要求に対してスタータ始動の実行が制限されることで、これ以上のキャパシタ２３の劣化進行が抑えられる。つまり、劣化進行度に応じて低く変更されるスタータ始動許可温度は、許可温度を超えた状況でスタータ始動を実行すると、キャパシタ温度が高くなって内部抵抗の増大が早くなることの予測情報として用いられる。
この結果、スタータ始動に用いられるキャパシタ２３の劣化進行を抑え、キャパシタ寿命の延長を図ることができる。
【００７０】
実施例１では、スタータ始動を許可するスタータ始動許可温度として予め「制限Ａ」を設定しておき、合計抵抗値（Rc＋Rh）が劣化進行閾値以上になると、スタータ始動許可温度を、「制限Ａ」より低い「制限Ｂ」まで下げる構成を採用している。
このように、合計抵抗値（Rc＋Rh）が劣化進行閾値未満の間は、スタータ始動許可温度として「制限Ａ」を用いることで、スタータ始動が確保され、EV走行領域を拡大することができる。そして、合計抵抗値（Rc＋Rh）が劣化進行閾値以上になると、「制限Ａ」から「制限Ｂ」に切り替えることで、劣化進行閾値を超える領域でのキャパシタ２３の劣化進行が抑えられる。
したがって、１つの劣化進行閾値を用いた簡単な制御としながら、EV走行領域拡大と、キャパシタ２３の劣化進行抑制と、の両立を図ることができる。
【００７１】
実施例１では、「制限Ａ」を、キャパシタ２３の使用許可温度領域の上限温度に設定し、「制限Ｂ」を、「制限Ａ」から、基準とするスタータ始動インターバルでの温度上昇量を減算した温度に設定する構成を採用している。
このように、「制限Ａ」として、キャパシタ２３の使用許可温度領域の上限温度を用いることで、合計抵抗値（Rc＋Rh）が劣化進行閾値以上になるまでの劣化進行を遅くすることができる。そして、「制限Ｂ」として、「制限Ａ」から、基準とするスタータ始動インターバルでの温度上昇量を減算した温度に設定することで、スタータ始動インターバルが短い走行状況にて、キャパシタ２３の劣化進行が抑えられる。
したがって、劣化進行閾値以上になるまでの劣化進行を遅くしながら、スタータ始動インターバルが短い走行状況において、キャパシタ２３の劣化進行を抑えることができる。
【００７２】
実施例１では、合計抵抗値（Rc＋Rh）が劣化進行閾値以上であり、かつ、キャパシタ２３の温度が「制限Ｂ」以上のとき、スタータ始動を禁止する構成を採用している。
このように、キャパシタ２３の劣化進行が判断されている状況で、キャパシタ温度が高くなると、その後、キャパシタ温度が「制限Ｂ」未満となってスタータ始動を許可しても、キャパシタ温度が「制限Ｂ」を境に変動し、スタータ始動の許可/不許可を繰り返す。このように、キャパシタ温度が高い状況で、スタータ始動制限制御によりスタータ始動の許可/不許可を繰り返すと、キャパシタ２３の劣化進行を促すことになる。
これに対し、キャパシタ２３の劣化進行が判断されている状況で、キャパシタ温度が高くなると、その後、スタータ始動を禁止することで、キャパシタ温度が高くなった領域でスタータ始動の許可/不許可を繰り返すことがなくなり、キャパシタ２３の劣化進行を有効に抑制することができる。
【００７３】
次に、効果を説明する。
実施例１のＦＦプラグインハイブリッド車両の制御装置にあっては、下記に列挙する効果を得ることができる。
【００７４】
(1) 駆動系にスタータモータ１とエンジン（横置きエンジン２）とモータ/ジェネレータ４を有し、
電源システムとして、前記モータ/ジェネレータ４の電源である強電バッテリ２１と、前記スタータモータ１の電源であるキャパシタ２３と、を備え、エンジン始動方式として、スタータ始動とモータ/ジェネレータ始動（M/G始動）が可能なハイブリッド車両（ＦＦプラグインハイブリッド車両）の制御装置において、
前記キャパシタ２３の劣化進行度を判断する劣化進行度判断手段（ハイブリッドコントロールモジュール８１、図４のステップＳ２）と、
前記スタータ始動の要求に対して前記スタータ始動の実行を制限する条件を与えるスタータ始動制限制御手段（ハイブリッドコントロールモジュール８１）と、を設け、
前記スタータ始動制限制御手段（ハイブリッドコントロールモジュール８１、図４のステップＳ３〜Ｓ７）は、前記スタータ始動を許可するキャパシタ温度条件としてスタータ始動許可温度を設定し、前記キャパシタ２３の劣化進行度が進んでいると判断されるほど、前記スタータ始動許可温度を低い温度に変更する（図４）。
このため、スタータ始動に用いられるキャパシタ２３の劣化進行を抑え、キャパシタ寿命の延長を図ることができる。
【００７５】
(2) 前記劣化進行度判断手段（ハイブリッドコントロールモジュール８１、図４のステップＳ２）は、前記キャパシタ２３の劣化進行度を、スタータ始動を行った直後のキャパシタ電圧Vcとスタータ電圧Vmの電圧差（Vc−Vm）と放電電流Icを用いて計算されるキャパシタ内部抵抗Rcとキャパシタ回路抵抗Rhの合計抵抗値（Rc＋Rh）により判断する（図５）。
このため、(1)の効果に加え、スタータ始動を経験すると、車載状態で簡単に劣化進行度判断情報の計算データを取得できると共に、キャパシタ２３の劣化進行度を、合計抵抗値（Rc＋Rh）により精度良く判断することができる。
【００７６】
(3) 前記スタータ始動制限制御手段（ハイブリッドコントロールモジュール８１、図４のステップＳ３〜Ｓ７）は、前記スタータ始動を許可するスタータ始動許可温度として予め第１上限温度（制限Ａ）を設定しておき、前記キャパシタ２３の劣化進行度が劣化進行閾値以上になると、前記スタータ始動許可温度を、前記第１上限温度（制限Ａ）より低い第２上限温度（制限Ｂ）まで下げる（図４）。
このため、(1)又は(2)の効果に加え、１つの劣化進行閾値を用いた簡単な制御としながら、EV走行領域拡大と、キャパシタ２３の劣化進行抑制と、の両立を図ることができる。
【００７７】
(4) 前記スタータ始動制限制御手段（ハイブリッドコントロールモジュール８１、図４のステップＳ７）は、前記第１上限温度（制限Ａ）を、前記キャパシタ２３の使用許可温度領域の上限温度に設定し、前記第２上限温度（制限Ｂ）を、前記第１上限温度（制限Ａ）から、基準とするスタータ始動インターバルでの温度上昇量を減算した温度に設定した（図４）。
このため、(3)の効果に加え、キャパシタ２３の劣化進行度が劣化進行閾値以上になるまでの劣化進行を遅くしながら、スタータ始動インターバルが短い走行状況において、キャパシタ２３の劣化進行を抑えることができる。
【００７８】
(5) 前記スタータ始動制限制御手段（ハイブリッドコントロールモジュール８１、図４のステップＳ３〜Ｓ６）は、前記キャパシタ２３の劣化進行度が劣化進行閾値以上であり、かつ、前記キャパシタ２３の温度が前記第２上限温度（制限Ｂ）以上のとき、前記スタータ始動を禁止する（図４）。
このため、(3)又は(4)の効果に加え、キャパシタ温度が高くなった領域でスタータ始動の許可/不許可を繰り返すことがなくなり、キャパシタ２３の劣化進行を有効に抑制することができる。
【００７９】
以上、本発明のハイブリッド車両の制御装置を実施例１に基づき説明してきたが、具体的な構成については、この実施例１に限られるものではなく、特許請求の範囲の各請求項に係る発明の要旨を逸脱しない限り、設計の変更や追加等は許容される。
【００８０】
実施例１では、劣化進行度判断手段として、キャパシタ２３の劣化進行度を、スタータ始動を行った直後のキャパシタ電圧Vcとスタータ電圧Vmの電圧差（Vc−Vm）と放電電流Icを用いて計算される合計抵抗値（Rc＋Rh）により判断する例を示した。しかし、劣化進行度判断手段としては、キャパシタの充電制御時における電圧と電流と所要時間に基づいて推定されるパラメータの変化によって推定する例としても良い。また、キャパシタの放電制御時における電圧と電流と所要時間に基づいて推定されるパラメータの変化によって推定する例としても良い。
【００８１】
実施例１では、スタータ始動制限制御手段として、スタータ始動を許可するスタータ始動許可温度として予め制限Ａを設定しておき、キャパシタ劣化進行度が劣化進行閾値以上になると、スタータ始動許可温度を、制限Ａより低い制限Ｂまで下げる例を示した。しかし、スタータ始動制限制御手段としては、スタータ始動を許可するスタータ始動許可温度を、キャパシタ劣化が進むにしたがって無段階に変更する例としても良い。さらに、劣化進行閾値を複数設定しておき、スタータ始動を許可するスタータ始動許可温度を、キャパシタ劣化が進むにしたがって２段階以上の多段階に変更する例としても良い。
【００８２】
実施例１では、キャパシタ充放電制御手段として、ハイブリッドコントロールモジュール８１を用いる例を示した。しかし、キャパシタ充放電制御手段としては、独立に設けた電源系コントローラを用いても良いし、また、ハイブリッドコントロールモジュール以外のコントローラに、電源系のキャパシタ充放電制御部を設けるような例としても良い。
【００８３】
実施例１では、本発明の制御装置をＦＦプラグインハイブリッド車両に適用する例を示した。しかし、本発明の制御装置は、外部充電機能を持たないハイブリッド車両に対しても適用することができる。また、ＦＦハイブリッド車両に限らず、ＦＲハイブリッド車両や４ＷＤハイブリッド車両に対しても適用することができる。要するに、スタータモータの電源としてキャパシタを備え、エンジンの始動方式として、スタータ始動とモータ/ジェネレータ始動が可能なハイブリッド車両であれば適用できる。
【符号の説明】
【００８４】
１  スタータモータ
２  横置きエンジン（エンジン）
３  第１クラッチ
４  モータ/ジェネレータ
５  第２クラッチ
６  ベルト式無段変速機
１０Ｒ，１０Ｌ  左右前輪
１１Ｒ，１１Ｌ  左右後輪
２１  強電バッテリ
２２  １２Ｖバッテリ
２３  キャパシタ
３７  DC/DCコンバータ
４１  キャパシタ充電回路
４５  DLCユニット
４９  セル電圧モニタ
５０  キャパシタ温度センサ
５１  半導体リレー
５２  DC/DCコンバータ
８１  ハイブリッドコントロールモジュール（劣化進行度判断手段、スタータ始動制限制御手段）
【図１】
2014234105.tif 000003
【図２】
2014234105.tif 000004
【図３】
2014234105.tif 000005
【図４】
2014234105.tif 000006
【図５】
2014234105.tif 000007